(57)【要約】【課題】見栄えの良い陳列状態を形成する陳列用補助具及び陳列ケースを提供する。【解決手段】陳列ケース１は、収容部１９に収容された陳列物２３に前方開口部４１側へ向けた付勢力を付与する陳列用補助具７１を備える。陳列用補助具７１を、弾性を有した円筒状の補助具本体８１で構成し、補助具本体８１の内側面８２に沿って円筒状の補強部８３を設ける。陳列用補助具７１を収容部１９内に立てて収容した状態で、透明板４２に対応する高さ位置に補強部８３を配置し、陳列用補助具７１の下端部を二重構造とする。【選択図】        図２
2004154427.tif 000002
【特許請求の範囲】
【請求項１】
前方開口部が被覆部で部分的に覆われた収容部内に収容され、該収容部に収容された陳列物に前記前方開口部側へ向けた付勢力を付与する補助具本体から成り、該補助具本体を、円筒状に形成された弾性を有する部材で構成したことを特徴とする陳列用補助具。
【請求項２】
前記補助具本体を前記収容部内に立てて収容した状態で、当該補助具本体の前記被覆部に対応する部位に、当該補助具本体に沿って延在する弾性を有した円筒状の補強部を部分的に設け、前記補助具本体の一部を二重構造としたことを特徴とする請求項１記載の陳列用補助具。
【請求項３】
上面が平滑な敷設部材を、前記補助具本体の底部に設けて該補助具本体に部分的に固定するとともに、前記補助具本体を弾性変形して後退させた状態で、前記敷設部材の上面に前記陳列物の載置領域が露出する寸法に設定したことを特徴とする請求項１又は２記載の陳列用補助具。
【請求項４】
前方開口部が被覆部で部分的に覆われた収容部内に収容され、該収容部に収容された陳列物に前記前方開口部側へ向けた付勢力を付与する陳列用補助具であって、
弾性を有する部材が円筒状に形成されて成る第１及び第２補助具本体を側面にて連結して構成したことを特徴とする陳列用補助具。
【請求項５】
前記収容部内に立てて収容した状態で、前記被覆部に対応する前記第１及び第２補助具本体の少なくとも一方の部位に、その補助具本体に沿って延在する弾性を有した円筒状の補強部を部分的に設け、当該補助具本体の一部を二重構造としたことを特徴とする請求項４記載の陳列用補助具。
【請求項６】
上面が平滑な敷設部材を前記両補助具本体の底部に設け、両補助具本体の並び方向にて一方の補助具本体に部分的に固定するとともに、前記各補助具本体を弾性変形して後退させた状態で、前記敷設部材の上面に前記陳列物の載置領域が露出する寸法に設定したことを特徴とする請求項４又は５記載の陳列用補助具。
【請求項７】
複数の陳列物を収容する収容部の前方開口部が、被覆部によって部分的に覆われた陳列ケースにおいて、
前記収容部内の陳列物を前記前方開口部側へ向けて付勢する付勢手段を備えたことを特徴とする陳列ケース。
【請求項８】
前記付勢手段を、前記収容部内に収容される陳列用補助具で構成し、
該陳列用補助具を、
弾性を有する部材が円筒状に形成されて成る補助具本体と、
該補助具本体を前記収容部内に立てて収容した状態で、当該補助具本体の前記被覆部に対応する部位に、当該補助具本体に沿って部分的に延設された弾性を有する円筒状の補強部と、
で構成したことを特徴とする請求項７記載の陳列ケース。
【請求項９】
上面が平滑な敷設部材を、前記補助具本体の底部に設けて該補助具本体に部分的に固定するとともに、前記補助具本体を弾性変形して後退させた状態で、前記敷設部材の上面に前記陳列物の載置領域が露出する寸法に設定したことを特徴とする請求項８記載の陳列ケース。
【請求項１０】
前記付勢手段を、前記収容部内に収容される陳列用補助具で構成し、
該陳列用補助具を、
弾性を有する部材が円筒状に形成されて成る第１補助具本体と、
弾性を有する部材が円筒状に形成されて成り、側面が前記第１補助具本体に連結された第２補助部材と、
前記収容部内に立てて収容した状態で、前記被覆部に対応する前記第１及び第２補助具本体の少なくとも一方の部位に、その補助具本体に沿って部分的に延設された弾性を有する円筒状の補強部と、
で構成したことを特徴とする請求項７記載の陳列ケース。
【請求項１１】
上面が平滑な敷設部材を前記両補助具本体の底部に設け、両補助具本体の並び方向にて一方の補助具本体に部分的に固定するとともに、前記各補助具本体を弾性変形して後退させた状態で、前記敷設部材の上面に前記陳列物の載置領域が露出する寸法に設定したことを特徴とする請求項１０記載の陳列ケース。
【発明の詳細な説明】
【０００１】
【発明の属する技術分野】
本発明は、種を収容した袋体などの陳列物を陳列する際に用いられる陳列用補助具及び陳列ケースに関する。
【０００２】
【従来の技術】
従来、種や球根などを販売する際には、表面に種類などが印刷された長方形の袋体に収容し販売していた。
【０００３】
これらの袋体は、店頭において陳列棚に配置され陳列されており、陳列棚としては、一般的にスチール線で形成されてものが使用されている。
【０００４】
このような陳列棚にあっては、その形状が予め定められており、陳列スペースに応じた大きさの陳列棚が必要となる。このため、大きさの異なる陳列棚を複数用意する必要があった。
【０００５】
これを解決するために、図１３に示すように、容器状のケース８０１内部を横仕切８０２，８０２と縦仕切８０３，・・・とで区分し、陳列物８０４，・・・の収容部８０５，・・・を縦横に配列するとともに、各収容部８０５，・・・の前方開口部を被覆部８０６，・・・で部分的に覆った陳列ケース８０７を案出するに至った（特許文献１参照。）。
【０００６】
【特許文献１】
特願２００２−２３７５８３号（段落番号「００２１」及び図１並びに図３参照）
【０００７】
【発明が解決しようとする課題】
しかしながら、このような陳列ケース８０７にあっては、収容部８０５に複数の陳列物８０４，・・・を収容できる構造上、収容部８０５内の残数が減ると、矢印Ａで示すように、陳列物８０４に倒れが生じる。
【０００８】
この場合、陳列物８０４が見づらくなるとともに陳列状態が乱雑となり、見栄えが悪化するという問題が生じ得る。また、奥側へ倒れた場合、取りにくくなるという問題も生じ得る。
【０００９】
本発明は、このような従来の課題に鑑みてなされたものであり、見栄えの良い陳列状態を形成する陳列用補助具及び陳列ケースを提供することを目的とするものである。
【００１０】
【課題を解決するための手段】
前記課題を解決するために本発明の請求項１記載の陳列用補助具にあっては、前方開口部が被覆部で部分的に覆われた収容部内に収容され、該収容部に収容された陳列物に前記前方開口部側へ向けた付勢力を付与する補助具本体から成り、該補助具本体を、円筒状に形成された弾性を有する部材で構成した。
【００１１】
すなわち、陳列物を陳列する際には、収容部内に陳列用補助具を立てて収容し、その前方側に陳列物を順次収容する。このとき、前記陳列用補助具の補助具本体は、円筒状に形成された弾性を有する部材から成り、この補助具本体を弾性変形することで、複数の陳列物が収容部内に収容される。
【００１２】
また、前記陳列物には、前記補助具本体によって前方開口部側へ向けた付勢力が付与されており、該前方開口部は、被覆部によって部分的に覆われている。このため、前記陳列物が収容部より取り出され残数が減少した場合であっても、前記陳列物は、常に前方開口部側へ配置された状態が維持される。
【００１３】
そして、前記陳列物を付勢する前記補助具本体は、円筒状に形成されている。このため、前記陳列物は、前記補助具本体に線接触した状態で付勢される。
【００１４】
また、請求項２の陳列用補助具においては、前記補助具本体を前記収容部内に立てて収容した状態で、当該補助具本体の前記被覆部に対応する部位に、当該補助具本体に沿って延在する弾性を有した円筒状の補強部を部分的に設け、前記補助具本体の一部を二重構造とした。
【００１５】
すなわち、前方開口部に設けられた被覆部に対応する補助具本体の部位には、円筒状の補強部が部分的に設けられ二重構造となっている。このため、この部分における付勢力が高められ、陳列物は、前記被覆部に対応した部分での付勢力が高められる。
【００１６】
さらに、請求項３の陳列用補助具では、上面が平滑な敷設部材を、前記補助具本体の底部に設けて該補助具本体に部分的に固定するとともに、前記補助具本体を弾性変形して後退させた状態で、前記敷設部材の上面に前記陳列物の載置領域が露出する寸法に設定した。
【００１７】
すなわち、陳列物を陳列する際には、敷設部材と補助具本体とが固定された部分を奥側にして収容部内に収容し、前記補助具本体を弾性変形して、その前方側に陳列物を順次収容する。このとき、補助具本体が弾性変形して後退した状態において、敷設部材の上面に前記陳列物の載置領域が露出し、前記陳列物は、平滑な敷設部材の上面に載置される。
【００１８】
そして、本発明の請求項４の陳列用補助具においては、前方開口部が被覆部で部分的に覆われた収容部内に収容され、該収容部に収容された陳列物に前記前方開口部側へ向けた付勢力を付与する陳列用補助具であって、弾性を有する部材が円筒状に形成されて成る第１及び第２補助具本体を側面にて連結して構成した。
【００１９】
すなわち、陳列物を陳列する際には、収容部内に陳列用補助具を立てて収容し、その前方側に陳列物を順次収容する。このとき、前記陳列用補助具の第１及び第２補助具本体は、弾性を有する部材が円筒状に形成されて成り、これらの補助具本体を弾性変形することで、複数の陳列物が収容部内に収容される。
【００２０】
また、前記陳列物には、前記両補助具本体によって前方開口部側へ向けた付勢力が付与されており、該前方開口部は、被覆部によって部分的に覆われている。このため、前記陳列物が収容部より取り出され残数が減少した場合であっても、前記陳列物は、常に前方開口部側へ配置された状態が維持される。
【００２１】
さらに、前記陳列物を付勢する前記両補助具本体は、円筒状に形成されている。このため、前記陳列物は、一方の補助具本体に線接触した状態で付勢される。
【００２２】
そして、この陳列用補助具は、円筒状の第１及び第２補助具本体が側面にて連結されて成る。このため、幅寸法の対して奥行きのある収容部であっても、変形時の横方向への拡がりを抑えつつ、十分な前方開口部側への付勢力が確保される。
【００２３】
また、請求項５の陳列用補助具にあっては、前記収容部内に立てて収容した状態で、前記被覆部に対応する前記第１及び第２補助具本体の少なくとも一方の部位に、その補助具本体に沿って延在する弾性を有した円筒状の補強部を部分的に設け、当該補助具本体の一部を二重構造とした。
【００２４】
すなわち、前方開口部に設けられた被覆部に対応する少なくとも一方の補助具本体の部位には、円筒状の補強部が部分的に設けられ二重構造となっている。このため、この部分における付勢力が高められ、陳列物は、前記被覆部に対応した部分での付勢力が高められる。
【００２５】
さらに、請求項６の陳列用補助具では、上面が平滑な敷設部材を前記両補助具本体の底部に設け、両補助具本体の並び方向にて一方の補助具本体に部分的に固定するとともに、前記各補助具本体を弾性変形して後退させた状態で、前記敷設部材の上面に前記陳列物の載置領域が露出する寸法に設定した。
【００２６】
すなわち、陳列物を陳列する際には、敷設部材と一方の補助具本体とが固定された部分を奥側にして収容部内に収容し、第１及び第２補助具本体を弾性変形して、その前方側に陳列物を順次収容する。このとき、前記各補助具本体が弾性変形して後退した状態において、前記敷設部材の上面に前記陳列物の載置領域が露出し、前記陳列物は、平滑な敷設部材の上面に載置される。
【００２７】
一方、本発明の請求項７の陳列ケースにあっては、複数の陳列物を収容する収容部の前方開口部が、被覆部によって部分的に覆われた陳列ケースにおいて、前記収容部内の陳列物を前記前方開口部側へ向けて付勢する付勢手段を備えている。
【００２８】
すなわち、陳列物には、付勢手段によって前方開口部側へ向けた付勢力が付与されており、該前方開口部は、被覆部によって部分的に覆われている。このため、前記陳列物が収容部より取り出され残数が減少した場合であっても、前記陳列物は、常に前方開口部側へ配置された状態が維持される。
【００２９】
また、請求項８の陳列ケースにおいては、前記付勢手段を、前記収容部内に収容される陳列用補助具で構成し、該陳列用補助具を、弾性を有する部材が円筒状に形成されて成る補助具本体と、該補助具本体を前記収容部内に立てて収容した状態で、当該補助具本体の前記被覆部に対応する部位に、当該補助具本体に沿って部分的に延設された弾性を有する円筒状の補強部と、で構成した。
【００３０】
すなわち、陳列物を陳列する際には、収容部内に陳列用補助具を立てて収容し、その前方側に陳列物を順次収容する。このとき、前記陳列用補助具の補助具本体は、弾性を有する部材が円筒状に形成されて成り、この補助具本体を弾性変形することで、複数の陳列物が収容部内に収容される。
【００３１】
また、前記陳列物を付勢する前記補助具本体は、円筒状に形成されている。このため、前記陳列物は、前記補助具本体に線接触した状態で付勢される。
【００３２】
そして、前方開口部に設けられた被覆部に対応する補助具本体の部位には、円筒状の補強部が部分的に設けられ二重構造となっている。このため、この部分における付勢力が高められ、陳列物は、前記被覆部に対応した部分での付勢力が高められる。
【００３３】
さらに、請求項９の陳列ケースでは、上面が平滑な敷設部材を、前記補助具本体の底部に設けて該補助具本体に部分的に固定するとともに、前記補助具本体を弾性変形して後退させた状態で、前記敷設部材の上面に前記陳列物の載置領域が露出する寸法に設定した。
【００３４】
すなわち、陳列物を陳列する際には、敷設部材と補助具本体とが固定された部分を奥側にして収容部内に収容し、前記補助具本体を弾性変形して、その前方側に陳列物を順次収容する。このとき、補助具本体が弾性変形して後退した状態において、敷設部材の上面に前記陳列物の載置領域が露出し、前記陳列物は、平滑な敷設部材の上面に載置される。
【００３５】
また、請求項１０の陳列ケースでは、前記付勢手段を、前記収容部内に収容される陳列用補助具で構成し、該陳列用補助具を、弾性を有する部材が円筒状に形成されて成る第１補助具本体と、弾性を有する部材が円筒状に形成されて成り、側面が前記第１補助具本体に連結された第２補助部材と、前記収容部内に立てて収容した状態で、前記被覆部に対応する前記第１及び第２補助具本体の少なくとも一方の部位に、その補助具本体に沿って部分的に延設された弾性を有する円筒状の補強部と、で構成した。
【００３６】
すなわち、陳列物を陳列する際には、収容部内に陳列用補助具を立てて収容し、その前方側に陳列物を順次収容する。このとき、前記陳列用補助具の第１及び第２補助具本体は、弾性を有する部材が円筒状に形成されて成り、これらの補助具本体を弾性変形することで、複数の陳列物が収容部内に収容される。
【００３７】
また、前記陳列物を付勢する前記両補助具本体は、円筒状に形成されている。このため、前記陳列物は、一方の補助具本体に線接触した状態で付勢される。
【００３８】
さらに、この陳列用補助具は、円筒状の第１及び第２補助具本体が側面にて連結されて成る。このため、幅寸法の対して奥行きのある収容部であっても、変形時の横方向への拡がりを抑えつつ、十分な前方開口部側への付勢力が確保される。
【００３９】
そして、前方開口部に設けられた被覆部に対応する少なくとも一方の補助具本体の部位には、円筒状の補強部が部分的に設けられ二重構造となっている。このため、この部分における付勢力が高められ、陳列物は、前記被覆部に対応した部分での付勢力が高められる。
【００４０】
さらに、請求項１１の陳列ケースにおいては、上面が平滑な敷設部材を前記両補助具本体の底部に設け、両補助具本体の並び方向にて一方の補助具本体に部分的に固定するとともに、前記各補助具本体を弾性変形して後退させた状態で、前記敷設部材の上面に前記陳列物の載置領域が露出する寸法に設定した。
【００４１】
すなわち、陳列物を陳列する際には、敷設部材と一方の補助具本体とが固定された部分を奥側にして収容部内に収容し、第１及び第２補助具本体を弾性変形して、その前方側に陳列物を順次収容する。このとき、前記各補助具本体が弾性変形して後退した状態において、前記敷設部材の上面に前記陳列物の載置領域が露出し、前記陳列物は、平滑な敷設部材の上面に載置される。
【００４２】
【発明の実施の形態】
（第１の実施の形態）
【００４３】
以下、本発明の第１の実施の形態を図に従って説明する。図１は、本実施の形態にかかる陳列ケース１を立てた状態を示す図である。この陳列ケース１は、野菜や草花などの種を販売する際に店頭などで用いられるものであり、種や球根等の商品を陳列するものである。
【００４４】
前記陳列ケース１は、前面が開口した矩形容器状のケース１１からなり、該ケース１１は、木で形成されている。このケース１１の周壁１２は、左右側部を形成する側板１３，１３と、下部を形成する底板１４と、上部を構成する天板１５とからなり、各板１３，１３，１４，１５の裏面には、背面を形成する背板１６が設けられている。このケース１１には、内部を縦方向に区分する二枚の横仕切板１７，１７が上下に等間隔を置いて横方向へ延設されており、当該ケース１１の内部は、縦方向に三等分されている。
【００４５】
前記天板１５と上段の横仕切板１７間、上段の横仕切板１７と下段の横仕切板１７間、及び下段の横仕切板１７と前記底板１４間のそれぞれには、上下に区画された各空間をさらに横方向に区分する四枚の縦仕切板１８，・・・が左右に等間隔を置いて縦方向へ延設されており、各空間は、横方向に六等分されている。これにより、前記ケース１１内には、陳列物を収容する収容部１９，・・・が、縦二行、横六列に配列されている。
【００４６】
各収容部１９，・・・は、縦長の長方形状に形成されており、図２に示すように、縦長の長方形状の袋体２１に種２２が収容された陳列物２３を収容できる大きさに設定される。また、各収容部１９，・・・は、前記陳列物２３を複数収容できる奥行きに設定されている。
【００４７】
この陳列ケース１は、図３に示すように、クリップ３１を備えている。該クリップ３１は、バネ鋼によって形成された挟持部３２と、該挟持部３２を開口する際に摘まれる摘み部３３，３３とによって構成されている。前記挟持部３２は、基部３４と、該基部３４の端部が折曲されてなる挟持片３５，３５とからなり、図４に示すように、複数の陳列ケース１，・・・を隣接して配置した状態で、隣接するケース１１，１１の対面した周壁１２，１２を挟持固定する際に、前記両挟持片３５，３５が対面した両周壁１２，１２を圧接するように構成されている。
【００４８】
前記摘み部３３，３３は、図３に示したように、金属線材で形成されており、その先端部は、前記挟持片３５，３５の端部に軸支されている。これにより、両摘み部３３，３３を指で挟むことで、閉鎖状態にある前記両挟持片３５，３５先端を開口する一方、軸支部分を中心に回動することによって、当該摘み部３３，３３の延出方向を、前記挟持片３５，３５の先端側へ向けられるように構成されている。
【００４９】
また、前記ケース１１には、図１に示したように、横方向に配列された前記各収容部１９，・・・の並び方向に延在し、図２にも示したように、並設された各収容部１９，・・・の前方開口部４１，・・・を部分的に覆う透明性を有したアクリル板からなる被覆部としての透明板４２が設けられており、各透明板４２，・・・は、左方の側板１３から右方の側板１３に渡って延設されている。この透明板４２は、左右端部が前記側板１３，１３に釘４３，・・・で固定されており、中間部が前記各縦仕切板１８，・・・に釘４３，・・・で固定されている。これにより、当該透明板４２は、前記各縦仕切板１８，・・・を前方より支持している。
【００５０】
前記各透明板４２，・・・は、各段に並設された各収容部１９，・・・の開口部４１，・・・における下部を覆う部位に設けられており、その高さは、各収容部１９，・・・の開口部４１を下から１／３覆う寸法に設定されている。これにより、両側部に設けられた収容部１９，１９側部の側板１３，１３には、前記透明板４２の上部に、並設されたケース１１，１１の対面した側板１３，１３同士を挟持して固定する前記クリップ３１の固定領域５１，・・・が設定されている。
【００５１】
最下段に延設された前記透明板４２には、図１に示したように、下縁中央部に横長の切り欠き６１が形成されており、この切り欠き６１によって、当該ケース１１の底板１４と、下部に配置されたケース１１の天板１５とを挟持固定する前記クリップ３１の挟持片３５が挿入される挿入部６２が形成されている。
【００５２】
また、この陳列ケース１は、図２に示したように、前記各収容部１９，・・・内に収容され、内部の陳列物２３，・・・に前方開口部４１側へ向けた付勢力を付与する付勢手段としての陳列用補助具７１，・・・を備えている。
【００５３】
この陳列用補助具７１は、図５に示すように、弾性を有した透明のプラスチックフィルムが円筒状に形成されて成る補助具本体８１によって構成されている。この補助具本体８１には、当該補助具本体８１の内側面８２に沿って延在する円筒状の補強部８３が部分的に設けられており、該補強部８３は、所定箇所が固定部材８４，８４によって前記補助具本体８１に固定されている。
【００５４】
前記補強部８３も、前記補助具本体８１と同様に、弾性を有する透明のプラスチックフィルムによって円筒状に形成されており、前記補助具本体８１を立てた状態で、その下端側に固定されている。また、この補強部８３の高さ寸法は、前記補助具本体８１より短く設定されており、当該陳列用補助具７１を前記収容部１９内に立てて収容した状態で、図２に示したように、前記透明板４２に対応する高さ位置に設けられている。これにより、前記補助具本体８１は、その下端部が二重構造となるように構成されている。
【００５５】
（第２の実施の形態）
一方、図６は、収容部１９，・・・の奥行きが深い陳列ケース１を示す図であり、比較的大きな種２２，・・・が袋体２１に収容された陳列物２３，・・・を複数収容できる奥行きに設定されている。このような陳列ケース１にあっては、図７に示すような陳列用補助具１０１が付属されている。
【００５６】
この陳列用補助具１０１は、弾性を有した透明のプラスチックフィルムが円筒状に形成されて成る第１補助具本体１１１及び第２補助具本体１１２によって構成されおり、両補助具本体１１１，１１２は、側面が合わせられた状態で固定部材１１３，・・・によって連結されている。各補助具本体１１１，１１２には、各補助具本体１１１，１１２の内側面１１４に沿って延在する円筒状の第１補強部１１５及び第２補強部１１６が部分的に設けられており、各補強部１１５，１１６は、前記固定部材１１３，・・・によって前記両補助具本体１１１，１１２と共に固定されている。
【００５７】
前記第１及び第２補強部１１５，１１６も、前記各補助具本体１１１，１１２と同様に、弾性を有する透明のプラスチックフィルムによって円筒状に形成されており、前記両補助具本体１１１，１１２を立てた状態で、その下端側に固定されている。また、これら補強部１１５，１１６の高さ寸法は、前記両補助具本体１１１，１１２より短く、かつ前記透明板４２の高さ寸法より長く設定されており、当該陳列用補助具１０１を前記収容部１９内に立てて収容した状態で、図６に示したように、前記透明板４２に対応する高さ位置に設けられている。これにより、前記各補助具本体１１１，１１２は、その下端部が二重構造となるように構成されている。
【００５８】
そして、図８に示すように、この陳列用補助具１０１の前記両補助具本体１１１，１１２の並び方向の長さ寸法Ｌは、弾性変形前において幅寸法Ｗより長く設定されているとともに、前記収容部１９の幅寸法Ｈより長く設定されており、収容部１９への挿入方向が限定されるように構成されている。また、前記陳列用補助具１０１の幅寸法Ｗは、前記収容部１９の幅寸法Ｈより短く定されており、弾性変形時の横方向への拡がりが許容されるように構成されている。
【００５９】
以上の構成にかかる本実施の形態において、陳列物２３，・・・を陳列する際には、図２に示したように、陳列ケース１の各収容部１９，・・・内に陳列用補助具７１を立てて収容し、その前方側に陳列物２３，・・・を順次収容する。このとき、前記陳列用補助具７１の補助具本体８１は、円筒状に形成された弾性を有する部材から成り、この補助具本体８１を弾性変形させることで、複数の陳列物２３，・・・を収容部１９内に収容することができる。
【００６０】
この収容状態において、前記各陳列物２３，・・・には、前記補助具本体８１が元の形状に戻ろうとする復元力によって前方開口部４１側へ向けた付勢力が付与されている。一方、該前方開口部４１は、その下部が透明板４２によって部分的に覆われており、前記陳列物２３，・・・は、前方への移動が規制され、位置決めされている。
【００６１】
そして、前記陳列物２３，・・・が収容部１９より取り出され、残数が減少した際には、前記陳列用補助具７１からの付勢力を受ける陳列物２３，・・・は、随時、前方開口部４１側へ移動される。これにより、前記陳列物２３，・・・は、常に前方開口部４１側に配置され、総ての収容部１９において、内部の陳列物２３，・・・が前方開口部４１側に配置された整列状態を形成することができる。
【００６２】
したがって、陳列物２３が奥側に残存して見づらくなったり、各収容部１９，・・・に収容された陳列物２３の配置が前後して陳列状態が乱雑となり見栄えが悪化するという問題を防止することができる。これにより、見栄えの良い陳列状態を形成することができる。
【００６３】
また、前記陳列物２３を付勢する前記補助具本体８１は、円筒状に形成されており、前記陳列物２３を、前記補助具本体８１に線接触した状態で支持することができる。このため、陳列物２３が奥側に倒れてしまう従来と比較して、陳列物２３が取りにくくなるという問題の発生を未然に防止することができる。
【００６４】
さらに、前方開口部４１に設けられた透明板４２に対応する補助具本体８１の高さ位置には、円筒状の補強部８３が部分的に設けられ、二重構造となっている。このため、陳列物２３，・・・の付勢力を、前記透明板４２に対応した下部で高めることができる。よって、陳列物２３の上部を強く付勢してしまう場合と比較して、陳列物２３，・・・の不用意な落下を防止することができる。
【００６５】
一方、図６に示したように、収容部１９，・・・の奥行きが深い陳列ケース１を用いて、比較的大きな種２２，・・・が収容された陳列物２３，・・・を陳列する際には、図７に示した陳列用補助具１０１を立てて各収容部１９，・・・に収容し、その前方側に陳列物２３，・・・を順次収容する。このとき、前記陳列用補助具１０１の第１及び第２補助具本体１１１，１１２は、弾性を有する部材が円筒状に形成されて成り、これらの補助具本体１１１，１１２を弾性変形することで、複数の陳列物２３，・・・を各収容部１９，・・・内に収容することができる。
【００６６】
この収容状態において、前記陳列物２３には、前記各補助具本体１１１，１１２が元の形状に戻ろうとする復元力によって前方開口部４１側へ向けた付勢力が付与されている。一方、該前方開口部４１は、その下部が透明板４２によって部分的に覆われており、前記陳列物２３，・・・は、前方への移動が規制され、位置決めされている。
【００６７】
そして、前記陳列物２３，・・・が収容部１９より取り出され、残数が減少した際には、前記陳列用補助具１０１からの付勢力を受ける陳列物２３，・・・は、随時、前方開口部４１側へ移動される。これにより、前記陳列物２３，・・・は、常に前方開口部４１側に配置され、総ての収容部１９において、内部の陳列物２３，・・・が前方開口部４１側に配置された整列状態を形成することができる。
【００６８】
したがって、陳列物２３が奥側に残存して見づらくなったり、各収容部１９，・・・に収容された陳列物２３の配置が前後して陳列状態が乱雑となり見栄えが悪化するという問題を防止することができる。これにより、見栄えの良い陳列状態を形成することができる。
【００６９】
また、この陳列用補助具１０１は、円筒状の第１及び第２補助具本体１１１，１１２が側面にて連結されて成る。このため、幅寸法Ｈの対して奥行きのある収容部１９であっても、単体の大径の円筒から成る陳列用補助具と比較して、図８に示したように、変形時の横方向への拡がりを抑えつつ、十分な前方開口部４１側への押出量を得ることができる。
【００７０】
さらに、前記陳列物２３を付勢する前記両補助具本体１１１，１１２は、円筒状に形成されており、前記陳列物２３を、一方の補助具本体１１１，１１２に線接触した状態で支持することができる。このため、陳列物２３が奥側に倒れてしまう従来と比較して、陳列物２３が取りにくくなるという問題の発生を未然に防止することができる。
【００７１】
加えて、前方開口部４１に設けられた透明板４２に対応する各補助具本体１１１，１１２の高さ位置には、円筒状の各補強部１１５，１１６が部分的に設けられ、二重構造となっている。このため、陳列物２３，・・・の付勢力を、前記透明板４２に対応した下部で高めることができる。よって、、陳列物２３の上部を強く付勢してしまう場合と比較して、陳列物２３，・・・の不用意な落下を防止することができる。
【００７２】
（第３の実施の形態）
また、図９及び図１０は、本発明の第３の実施の形態を示す図であり、第１の実施の形態の形態と同一又は同等な部分に付いては、同符号を付して説明を割愛する。
【００７３】
すなわち、陳列ケース１は、図９及び図１０に示すように、各収容部１９，・・・内に収容され、内部の陳列物２３，・・・に前方開口部４１側へ向けた付勢力を付与する付勢手段としての陳列用補助具２０１を備えている。この陳列用補助具２０１は、第１の実施の形態と同様の補助具本体８１から成り、該補助具本体８１の底部には、敷設部材２０２が設けられている。
【００７４】
この敷設部材２０２も透明のプラスチックフィルムから成り、前記収容部１９内に収容できる幅寸法Ｈ２に設定されている。当該敷設部材２０１は、補助具本体８１の補強部８３側の端部に配置された矩形状の基部２１１と、該基部２１１の一端より上方へ起立した起立部２１２とから成り、Ｌ字状に形成されている。
【００７５】
該起立部２１２は、前記補助具本体８１の側面に接触した部分が、固定部材８４によって前記補強部８３と共に前記補助具本体８１に固定されており（図９の（ｂ）参照）、該補助具本体８１は、この固定部２２１に対向した部位を前記固定部２２１側へ向けて押し潰すように弾性変形できるように構成されている（図１０参照）。
【００７６】
また、前記敷設部材２０２は、平坦に形成されており、前記基部２１１上面は、平滑な平滑面２３１を構成している。この基部２１１は、図９の（ａ）に示したように、前記補強具本体８１の直径より長く、かつ図１０に示したように、補助具本体８１を補強部８１と共に弾性変形して前記固定部２２１側へ後退させた状態で、前記敷設部材２０２の上面に前記陳列物２３，・・・の載置領域２３２が露出する長さ寸法に設定されている。
【００７７】
以上の構成にかかる本実施の形態において、陳列物２３，・・・を陳列する際には、図１０に示したように、陳列ケース１の各収容部１９，・・・内へ敷設部材２０２と補助具本体８１とが固定された固定部２２１を奥側にして収容部１９内に収容し、前記補助具本体８１を弾性変形して、その前方側に陳列物２３，・・・を順次収容する。このとき、補助具本体８１が弾性変形して後退した状態において、敷設部材２０２の上面に前記陳列物２３，・・・の載置領域２３２が露出するので、前記陳列物２３２，・・・を、この平滑な敷設部材２０２の平滑面２３１上に載置することができる。
【００７８】
このように、前記補助具本体８１で付勢され、前方開口部４１側へ移動される陳列物２３，・・・を、平滑な敷設部材２０２の平滑面２３１に載置することができるので、収容部１９の底面が、陳列物２３，・・・との間に大きな摩擦が生じる粗面であっても、陳列物２３，・・・の前方開口部４１側への移動をスムーズに行うことができる。このため、補助具本体８１に付勢され移動する陳列物２３，・・・と底面との間に大きな摩擦が生じる場合と比較して、陳列物２３，・・・を前のめりすること無く、前方開口部４１側へ移動することができる。よって、収容部１９の底部が粗面であっても、不具合無く陳列物２３，・・・を移動することができる。
【００７９】
（第４の実施の形態）
一方、図１１及び図１２は、第４の実施の形態を示す図であり、第２の実施の形態の形態と同一又は同等な部分に付いては、同符号を付して説明を割愛する。
【００８０】
すなわち、奥行きの深い収容部１９を有する陳列ケース１は、図１１及び図１２に示すように、各収容部１９，・・・内に収容され、内部の陳列物２３，・・・に前方開口部４１側へ向けた付勢力を付与する付勢手段としての陳列用補助具３０１を備えている。この陳列用補助具３０１は、第２の実施の形態と同様の第１及び第２補助具本体１１１，１１２から成り、両補助具本体１１１，１１２の底部には、敷設部材３０２が設けられている。
【００８１】
この敷設部材３０２も透明のプラスチックフィルムから成り、前記収容部１９内に収容できる幅寸法Ｈ３に設定されている。当該敷設部材３０２は、各補助具本体１１１，１１２の各補強部１１５，１１６側の端部に配置された矩形状の基部３１１と、該基部３１１の一端より上方へ起立した起立部３１２とから成り、Ｌ字状に形成されている。
【００８２】
該起立部３１２は、前記両補助具本体１１１，１１２の並び方向において前記第２補助具本体１１２の側面に接触した部分が、固定部材３２１によって第２補強部１１６と共に前記第１補助具本体１１２に固定されており（図１１の（ｂ）参照）、該第２補助具本体１１２は、この固定部３２２に対向した部位を該固定部３２２側へ向けて押し潰すように弾性変形できるように構成されている（図１２参照）。
【００８３】
また、前記敷設部材３０２は、平坦に形成されており、前記基部３１１上面は、平滑な平滑面３３１を構成している。この基部３１１は、図１１の（ａ）に示したように、前記第１補強具本体１１１の直径に第２補強具本体１１２の直径を加えた長さより長く、かつ図１２に示したように、両補助具本体１１１，１１２を各補強部１１５，１１６と共に弾性変形して前記固定部３２２側へ後退させた状態で、前記敷設部材３０２の上面に前記陳列物２３，・・・の載置領域３３２が露出する長さ寸法に設定されている。
【００８４】
以上の構成にかかる本実施の形態において、陳列物２３，・・・を陳列する際には、図１２に示したように、陳列ケース１の各収容部１９，・・・内へ敷設部材３０２と第２補助具本体１１２とが固定された固定部３２２を奥側にして収容部１９内に収容し、前記両補助具本体１１１，１１２を弾性変形して、その前方側に陳列物２３，・・・を順次収容する。このとき、両補助具本体１１１，１１２が弾性変形して後退した状態において、敷設部材３０２の上面に前記陳列物２３，・・・の載置領域３３２が露出するので、前記陳列物２３，・・・を、この平滑な敷設部材３０２の平滑面３３１上に載置することができる。
【００８５】
このように、前記両補助具本体１１１，１１２で付勢され、前方開口部４１側へ移動される陳列物２３，・・・を、平滑な敷設部材３０２の平滑面３３１に載置することができるので、収容部１９の底面が、陳列物２３，・・・との間に大きな摩擦が生じる粗面であっても、陳列物２３，・・・の前方開口部４１側への移動をスムーズに行うことができる。このため、補助具本体８１に付勢され移動する陳列物２３，・・・と底面との間に大きな摩擦が生じる場合と比較して、陳列物２３，・・・を前のめりすること無く、前方開口部４１側へ移動することができる。よって、収容部１９の底部が粗面であっても、不具合無く陳列物２３，・・・を移動することができる。
【００８６】
【発明の効果】
以上説明したように、本発明の請求項１記載の陳列用補助具にあっては、収容部内の陳列用補助具の前方側に陳列物を順次収容することで、陳列物に前方開口部側へ向けた付勢力を付与することができる。このため、陳列物が収容部より取り出され残数が減少した場合であっても、前記陳列物を、常に前方開口部側へ配置した状態に維持することができる。
【００８７】
したがって、陳列物が奥側に残存して見づらくなったり、陳列状態が乱雑となり見栄えが悪化するという問題を防止することができる。これにより、見栄えの良い陳列状態を形成することができる。
【００８８】
そして、前記陳列物を付勢する補助具本体は、円筒状に形成されており、前記陳列物を、前記補助具本体に線接触した状態で支持することができる。このため、陳列物が奥側に倒れる従来と比較して、陳列物が取りにくくなるという問題の発生を未然に防止することができる。
【００８９】
また、請求項２の陳列用補助具においては、前方開口部に設けられた被覆部に対応する補助具本体の部位に、円筒状の補強部が部分的に設けられ二重構造となっている。このため、陳列物の付勢力を、前記被覆部に対応した部分で高めることができ、陳列物の不用意な落下を防止することができる。
【００９０】
さらに、請求項３の陳列用補助具では、補助具本体で付勢され、前方開口部側へ移動される陳列物を、平滑な敷設部材に載置することができる。
【００９１】
このため、収容部の底面が、陳列物との間に大きな摩擦が生じる粗面であっても、陳列物の前方開口部側への移動をスムーズに行うことができ、補助具本体に付勢され移動する陳列物と底面との間に大きな摩擦が生じる場合と比較して、陳列物の前のめりを防止することができる。よって、収容部の底部が粗面であっても、不具合無く利用することができる。
【００９２】
そして、本発明の請求項４の陳列用補助具においても、収容部内の陳列用補助具の前方側に陳列物を順次収容することで、陳列物に前方開口部側へ向けた付勢力を付与することができる。このため、陳列物が収容部より取り出され残数が減少した場合であっても、前記陳列物を、常に前方開口部側へ配置した状態に維持することができる。
【００９３】
したがって、陳列物が奥側に残存して見づらくなったり、陳列状態が乱雑となり見栄えが悪化するという問題を防止することができる。これにより、見栄えの良い陳列状態を形成することができる。
【００９４】
また、前記陳列物を付勢する第１及び第２補助具本体は、円筒状に形成されており、前記陳列物を、一方の補助具本体に線接触した状態で支持することができる。このため、陳列物が奥側に倒れる従来と比較して、陳列物が取りにくくなるという問題の発生を未然に防止することができる。
【００９５】
そして、この陳列用補助具は、円筒状の第１及び第２補助具本体が側面にて連結されて成る。このため、幅寸法の対して奥行きのある収容部であっても、変形時の横方向への拡がりを抑えつつ、十分な前方開口部側への陳列物の押出量を得ることができる。
【００９６】
また、請求項５の陳列用補助具にあっては、前方開口部に設けられた被覆部に対応する少なくとも一方の補助具本体の部位に、円筒状の補強部が部分的に設けられ二重構造となっている。このため、陳列物の付勢力を、前記被覆部に対応した部分で高めることができ、陳列物の不用意な落下を防止することができる。
【００９７】
さらに、請求項６の陳列用補助具では、各補助具本体で付勢され、前方開口部側へ移動される陳列物を、平滑な敷設部材に載置することができる。
【００９８】
このため、収容部の底面が、陳列物との間に大きな摩擦が生じる粗面であっても、陳列物の前方開口部側への移動をスムーズに行うことができ、各補助具本体に付勢され移動する陳列物と底面との間に大きな摩擦が生じる場合と比較して、陳列物の前のめりを防止することができる。よって、収容部の底部が粗面であっても、不具合無く利用することができる。
【００９９】
一方、本発明の請求項７の陳列ケースにあっては、収容部に収容された陳列物に、前方開口部側へ向けた付勢力を付与することができる。このため、陳列物が収容部より取り出され残数が減少した場合であっても、前記陳列物を、常に前方開口部側へ配置した状態に維持することができる。
【０１００】
したがって、陳列物が奥側に残存して見づらくなったり、陳列状態が乱雑となり見栄えが悪化するという問題を防止することができる。これにより、見栄えの良い陳列状態を形成することができる。
【０１０１】
また、請求項８の陳列ケースにおいては、陳列物を付勢する補助具本体は、円筒状に形成されており、前記陳列物を、前記補助具本体に線接触した状態で支持することができる。このため、陳列物が奥側に倒れる従来と比較して、陳列物が取りにくくなるという問題の発生を未然に防止することができる。
【０１０２】
そして、前方開口部に設けられた被覆部に対応する補助具本体の部位に、円筒状の補強部が部分的に設けられ二重構造となっている。このため、陳列物の付勢力を、前記被覆部に対応した部分で高めることができ、陳列物の不用意な落下を防止することができる。
【０１０３】
さらに、請求項９の陳列ケースでは、補助具本体で付勢され、前方開口部側へ移動される陳列物を、平滑な敷設部材に載置することができる。
【０１０４】
このため、収容部の底面が、陳列物との間に大きな摩擦が生じる粗面であっても、陳列物の前方開口部側への移動をスムーズに行うことができ、補助具本体に付勢され移動する陳列物と底面との間に大きな摩擦が生じる場合と比較して、陳列物の前のめりを防止することができる。よって、収容部の底部が粗面であっても、不具合無く陳列物を移動することができる。
【０１０５】
また、請求項１０の陳列ケースにおいては、陳列物を付勢する第１及び第２補助具本体は、円筒状に形成されており、前記陳列物を、一方の補助具本体に線接触した状態で支持することができる。このため、陳列物が奥側に倒れる従来と比較して、陳列物が取りにくくなるという問題の発生を未然に防止することができる。
【０１０６】
また、この陳列用補助具は、円筒状の第１及び第２補助具本体が側面にて連結されて成る。このため、幅寸法の対して奥行きのある収容部であっても、変形時の横方向への拡がりを抑えつつ、十分な前方開口部側への陳列物の押出量を得ることができる。
【０１０７】
そして、前方開口部に設けられた被覆部に対応する少なくとも一方の補助具本体の部位に円筒状の補強部が部分的に設けられ二重構造となっている。このため、陳列物の付勢力を、前記被覆部に対応した部分で高めることができ、陳列物の不用意な落下を防止することができる。
【０１０８】
さらに、請求項１１の陳列ケースでは、各補助具本体で付勢され、前方開口部側へ移動される陳列物を、平滑な敷設部材に載置することができる。
【０１０９】
このため、収容部の底面が、陳列物との間に大きな摩擦が生じる粗面であっても、陳列物の前方開口部側への移動をスムーズに行うことができ、各補助具本体に付勢され移動する陳列物と底面との間に大きな摩擦が生じる場合と比較して、陳列物の前のめりを防止することができる。よって、収容部の底部が粗面であっても、不具合無く陳列物を移動することができる。
【図面の簡単な説明】
【図１】本発明の第１の実施の形態を示す斜視図である。
【図２】同実施の形態の要部を示す断面図である。
【図３】同実施の形態のクリップを示す斜視図である。
【図４】同実施の形態の利用形態を示す図である。
【図５】同実施の形態の陳列用補助具を示す斜視図である。
【図６】本発明の第２の実施の形態の要部を示す断面図である。
【図７】同実施の形態の陳列用補助具を示す斜視図である。
【図８】同実施の形態の水平断面の要部を示す図である。
【図９】本発明の第３の実施の形態を示す図で、（ａ）は側面図であり、（ｂ）は背面図である。
【図１０】同実施の形態の利用形態を示す要部の断面図である。
【図１１】本発明の第４の実施の形態を示す図で、（ａ）は側面図であり、（ｂ）は背面図である。
【図１２】同実施の形態の利用形態を示す要部の断面図である。
【図１３】従来の陳列ケースを示す要部の図である。
【符号の説明】
１    陳列ケース
１９    収容部
２３    陳列物
４１    前方開口部
４２    透明板（被覆部）
７１    陳列用補助具
８１    補助具本体
８３    補強部
１０１    陳列用補助具
１１１    第１補助具本体
１１２    第２補助具本体
１１５    第１補強部
１１６    第２補強部
２０１    陳列用補助具
２０２    敷設部材
２２１    固定部
２３１    平滑面
２３２    載置領域
３０１    陳列用補助具
３０２    敷設部材
３２２    固定部
３３１    平滑面
３３２    載置領域
【図１】
2004154427.tif 000003
【図２】
2004154427.tif 000004
【図３】
2004154427.tif 000005
【図４】
2004154427.tif 000006
【図５】
2004154427.tif 000007
【図６】
2004154427.tif 000008
【図７】
2004154427.tif 000009
【図８】
2004154427.tif 000010
【図９】
2004154427.tif 000011
【図１０】
2004154427.tif 000012
【図１１】
2004154427.tif 000013
【図１２】
2004154427.tif 000014
【図１３】
2004154427.tif 000015